(57)【特許請求の範囲】
【請求項１】
大気中に飛散している塩分を捕獲可能である捕獲材と、該捕獲材を保持する保持体とを有する複数段の塩分捕獲体と、
複数段の前記塩分捕獲体と交互に配され、各段の前記塩分捕獲体の前記捕獲材を収納可能である複数段のカバーと、
前記複数段の塩分捕獲体のうちの何れか一の段の前記塩分捕獲体を、第一の高さ位置で停止させ、当該塩分捕獲体より一段上の前記カバーを、当該塩分捕獲体の前記捕獲材が露出する第二の高さ位置で停止させることができるように、複数段の前記塩分捕獲体と複数段の前記カバーとを昇降可能に保持する保持部と
を備える飛散塩分捕獲装置。
【請求項２】
前記保持部は、
複数段の前記塩分捕獲体の前記保持体の外周部と、複数段の前記カバーの外周部とを貫通し、複数段の前記塩分捕獲体の前記保持体と複数段の前記カバーとの昇降を案内する複数のガイドシャフトと、
複数段の前記塩分捕獲体の前記保持体の内周部と、複数段の前記カバーの内周部とを貫通する回転シャフトとを備え、
前記回転シャフトに設けられ、前記回転シャフトの回転位置に応じて、前記第一の高さ位置で前記塩分捕獲体の前記保持体に対して、保持状態と非保持状態とをとる第一の保持部材と、
前記回転シャフトに設けられ、前記回転シャフトの回転位置に応じて、前記第二の高さ位置で前記カバーに対して、保持状態と非保持状態とをとる第二の保持部材と
を備える請求項１に記載の飛散塩分捕獲装置。
【請求項３】
前記第一及び第二の保持部材は、前記回転シャフトの周方向に所定角度ずれて配されているピンであり、
前記保持体には、前記第一及び前記第二の保持部材が通過可能である長孔が形成され、
前記カバーには、前記第一及び前記第二の保持部材が通過可能である長孔が形成され、
下から上に交互に並んだ前記保持体の前記長孔と前記カバーの前記長孔とが、前記回転シャフトの周方向に所定角度ずつずれて配されている請求項２に記載の飛散塩分捕獲装置。
【請求項４】
前記保持部は、
前記回転シャフトを回転させる駆動部を備え、
該駆動部は、所定期間経過後に駆動されるタイマー機能を備える請求項３に記載の飛散塩分捕獲装置。
【請求項５】
前記駆動部は、前記所定期間経過後に、前記回転シャフトを、前記第一の保持部材が保持する前記保持体の前記長孔と前記第一の保持部材とが重なる位置まで回転させてから、前記第二の保持部材が保持する前記カバーの前記長孔と前記第二の保持部材とが重なる位置まで回転させ、さらに、当該カバーの前記長孔と前記第一の保持部材とが重なる位置まで回転させる請求項４に記載の飛散塩分捕獲装置。
【請求項６】
前記第二の部材は、前記第一の部材に対して、前記回転シャフトの回転方向に１２０°ずれるように配され、
下から上に交互に並んだ前記保持体の前記長孔と前記カバーの前記長孔とは、下から上にかけて前記回転シャフトの回転方向の逆方向に１２０°ずつずれるように配されている請求項３から請求項５までの何れか１項に記載の飛散塩分捕獲装置。
【請求項７】
複数段の前記塩分捕獲体と、複数段の前記カバーと、前記保持部とを収納する百葉箱を備える請求項１から請求項６までの何れか１項に記載の飛散塩分捕獲装置。
【発明の詳細な説明】
【技術分野】
【０００１】
本発明は、飛散塩分量を測定するために大気中に飛散している塩分を捕獲する飛散塩分捕獲装置に関する。
【背景技術】
【０００２】
送電系統の絶縁碍子や鉄塔等の海塩粒子による塩害の予測を行うために、大気中に飛散している塩分（以下、単位体積あたりに含まれる塩分を気中塩分量、これに風速を乗じたものを飛散塩分量という）の量（飛散塩分量）を測定する必要があり、そのためには、大気中に飛散している塩分を捕獲する必要がある。ＪＩＳ  Ｚ２３８２で規定されているドライガーゼ法は、窓が空いた木枠にガーゼをはめ込んで雨に濡れない風通しの良い場所に設置し、ガーゼに付着した塩分の量を測定するというものである。また、特許文献１に記載の気中塩分測定方法は、外気を吸引して水に溶解させ、水溶液の伝導度に基づいて塩分量を測定するというものである。
【先行技術文献】
【特許文献】
【０００３】
【特許文献１】特開２０１１−３８９５６号公報
【発明の概要】
【発明が解決しようとする課題】
【０００４】
特許文献１に記載の気中塩分捕獲装置では、風速に関わらず空気の吸引量が一定であることから、飛散塩分量を求めるためには風速を測定してその測定値に基づいて計算を行う必要がある。また、上記ドライガーゼ法では、屋根のある環境に設置したり、百葉箱内に設置したりしなければならないが、百葉箱内に設置する場合には、交換作業が煩雑になる。【０００５】
本発明は、上記事情に鑑みてなされたものであり、風速に応じた量の塩分を捕獲することができると共に、従来に比して交換頻度を低減できる飛散塩分捕獲装置を提供することを課題とするものである。
【課題を解決するための手段】
【０００６】
本発明に係る飛散塩分捕獲装置は、大気中に飛散している塩分を捕獲可能である捕獲材と、該捕獲材を保持する保持体とを有する複数段の塩分捕獲体と、複数段の前記塩分捕獲体と交互に配され、各段の前記塩分捕獲体の前記捕獲材を収納可能である複数段のカバーと、前記複数段の塩分捕獲体のうちの何れか一の段の前記塩分捕獲体を、第一の高さ位置で停止させ、当該塩分捕獲体より一段上の前記カバーを、当該塩分捕獲体の前記捕獲材が露出する第二の高さ位置で停止させることができるように、複数段の前記塩分捕獲体と複数段の前記カバーとを昇降可能に保持する保持部とを備える。【０００７】
前記飛散塩分捕獲装置において、前記保持部は、複数段の前記塩分捕獲体の前記保持体の外周部と、複数段の前記カバーの外周部とを貫通し、複数段の前記塩分捕獲体の前記保持体と複数段の前記カバーとの昇降を案内する複数のガイドシャフトと、複数段の前記塩分捕獲体の前記保持体の内周部と、複数段の前記カバーの内周部とを貫通する回転シャフトとを備え、前記回転シャフトに設けられ、前記回転シャフトの回転位置に応じて、前記第一の高さ位置で前記塩分捕獲体の前記保持体に対して、保持状態と非保持状態とをとる第一の保持部材と、前記回転シャフトに設けられ、前記回転シャフトの回転位置に応じて、前記第二の高さ位置で前記カバーに対して、保持状態と非保持状態とをとる第二の保持部材とを備えてもよい。【０００８】
前記飛散塩分捕獲装置において、前記第一及び第二の保持部材は、前記回転シャフトの周方向に所定角度ずれて配されたピンであってもよく、前記保持体には、前記第一及び前記第二の保持部材が通過可能である長孔が形成され、前記カバーには、前記第一及び前記第二の保持部材が通過可能である長孔が形成され、下から上に交互に並んだ前記保持体の前記長孔と前記カバーの前記長孔とが、前記回転シャフトの周方向に所定角度ずつずれて配されてもよい。【０００９】
前記飛散塩分捕獲装置において、前記保持部は、前記回転シャフトを回転させる駆動部を備えてもよく、該駆動部は、所定期間経過後に駆動されるタイマー機能を備えてもよい。【００１０】
前記飛散塩分捕獲装置において、前記駆動部は、前記所定期間経過後に、前記回転シャフトを、前記第一の保持部材が保持する前記保持体の前記長孔と前記第一の保持部材とが重なる位置まで回転させてから、前記第二の保持部材が保持する前記カバーの前記長孔と前記第二の保持部材とが重なる位置まで回転させ、さらに、当該カバーの前記長孔と前記第一の保持部材とが重なる位置まで回転させてもよい。【００１１】
前記飛散塩分捕獲装置において、前記第二の部材は、前記第一の部材に対して、前記回転シャフトの回転方向に１２０°ずれるように配され、下から上に交互に並んだ前記保持体の前記長孔と前記カバーの前記長孔とは、下から上にかけて前記回転シャフトの回転方向の逆方向に１２０°ずつずれるように配されてもよい。【００１２】
前記飛散塩分捕獲装置は、複数段の前記塩分捕獲体と、複数段の前記カバーと、前記保持部とを収納する百葉箱を備えてもよい。
【発明の効果】
【００１３】
本発明によれば、風速に応じた量の塩分を捕獲することができると共に、従来に比して交換頻度を低減できる飛散塩分捕獲装置を提供できる。
【図面の簡単な説明】
【００１４】
【図１】一実施形態に係る飛散塩分捕獲装置を示す斜視図である。
【図２】一実施形態に係る飛散塩分捕獲装置を示す縦断面図である。
【図３】一実施形態に係る飛散塩分捕獲装置を示す縦断面図である。
【図４】駆動機構の内部を示す斜視図である。
【図５】駆動機構の内部を示す平面図である。
【図６】回転シャフトの上下のピン、ガーゼホルダの長孔、及び、カバーの長孔の位置関係を説明するための図である。
【図７】（Ａ）は、図６に示す状態から上下のピンを反時計周り方向に１２０°回転させた状態での上下のピン、ガーゼホルダの長孔、及び、カバーの長孔の位置関係を説明するための図である。（Ｂ）は、（Ａ）に示す状態から上下のピンを反時計周り方向に１２０°回転させた状態での上記位置関係を説明するための図である。（Ｃ）は、（Ｂ）に示す状態から上下のピンを反時計周り方向に１２０°回転させた状態での上記位置関係を説明するための図である。
【図８】（Ａ）は、図７（Ｃ）に示す状態から上下のピンを反時計周り方向に１２０°回転させた状態での上記位置関係を説明するための図である。（Ｂ）は、（Ａ）に示す状態から上下のピンを反時計周り方向に１２０°回転させた状態での上記位置関係を説明するための図である。（Ｃ）は、（Ｂ）に示す状態から上下のピンを反時計周り方向に１２０°回転させた状態での上記位置関係を説明するための図である。
【図９】（Ａ）は、図８（Ｃ）に示す状態から上下のピンを反時計周り方向に１２０°回転させた状態での上記位置関係を説明するための図である。（Ｂ）は、（Ａ）に示す状態から上下のピンを反時計周り方向に１２０°回転させた状態での上記位置関係を説明するための図である。
【図１０】（Ａ）は、図９（Ｂ）に示す状態から上下のピンを反時計周り方向に１２０°回転させた状態での上記位置関係を説明するための図である。（Ｂ）は、（Ａ）に示す状態から上下のピンを反時計周り方向に１２０°回転させた状態での上記位置関係を説明するための図である。
【図１１】図１０（Ｂ）に示す状態から上下のピンを反時計周り方向に１２０°回転させた状態での上記位置関係を説明するための図である。
【発明を実施するための形態】
【００１５】
以下、図面を参照しながら、本発明を実施するための形態を説明する。図１は、一実施形態に係る飛散塩分捕獲装置１０を示す斜視図であり、図２及び図３は、飛散塩分捕獲装置１０を示す縦断面図である。これらの図に示すように、飛散塩分捕獲装置１０は、壁面にガラリが設けられた百葉箱１と、複数段（例えば、図示するように４段）の塩分捕獲体２０と、塩分捕獲体２０と同数の複数段のカバー３０と、塩分捕獲体２０及びカバー３０を昇降可能に保持するホルダ４０と、塩分捕獲体２０及びカバー３０を降下させる駆動機構５０とを備えている。複数段の塩分捕獲体２０、複数段のカバー３０、ホルダ４０及び駆動機構５０は、百葉箱１内に収容されている。
【００１６】
塩分捕獲体２０とカバー３０とは、共に円錐台形状に構成されており、塩分捕獲体２０の上にカバー３０が重ねられ、その上に塩分捕獲体２０が重ねられ、さらにその上にカバー３０が重ねられるというように、交互に積み重ねられている。
【００１７】
塩分捕獲体２０は、通気性を有し、飛散する塩分を捕獲可能であるガーゼ２２と、ガーゼ２２が巻き付けられたガーゼホルダ２４とを備えている。ガーゼホルダ２４は、円盤状の上部２４Ａと、円環状の底部２４Ｂと、上部２４Ａと底部２４Ｂとの間に配された円環状の中間部２４Ｃ、２４Ｄと、これらを結合する複数の棒材２４Ｅとを備えている。上部２４Ａ、中間部２４Ｃ、２４Ｄ及び底部２４Ｂは、同軸に配されており、これらの直径が上から下にかけて次第に大きくなっている。また、複数の棒材２４Ｅは、上部２４Ａ等の軸心の周りに所定間隔で配され、上から下にかけて放射状に広がっている。上部２４Ａの軸心には、後述の回転シャフト４２が回転可能に挿通される孔が形成されている。また、底部２４Ｂの外周部には、後述のガイドシャフト４４が挿通されるガイド部２４Ｇが、１２０°間隔で形成されている。
【００１８】
カバー３０は、底部３０Ｂが開口した中空の円錐台形体であり、円盤状の上部３０Ａの軸心に回転シャフト４２が回転可能に挿通される孔３０Ｈが形成されている。また、底部３０Ｂの外周部には、ガイドシャフト４４が挿通されるガイド部３０Ｇが、１２０°間隔で形成されている。
【００１９】
カバー３０の上部３０Ａとガーゼホルダ２４の上部２４Ａとは、直径が同一であり、カバー３０の底部３０Ｂとガーゼホルダ２４の底部２４Ｂとは、直径が同一である。また、カバー３０の高さはガーゼホルダ２４の高さよりも僅かに大きく、カバー３０の周面の傾斜角とガーゼホルダ２４の棒材２４Ｅの傾斜角とは同一である。従って、カバー３０の底部３０Ｂがガーゼホルダ２４の底部２４Ｂの上に乗った状態で、ガーゼ２２の全体がカバー３０で覆われる。
【００２０】
カバー３０の底部３０Ｂの全周には、シール材３２が接着されている。このシール材３２は、底部３０Ｂの下面、周面、及び上面に跨って接着されており、底部３０Ｂとガーゼホルダ２４の底部２４Ｂとの間を塞ぎ、この間からカバー３０内への塩の侵入を防止する。
【００２１】
ホルダ４０は、塩分捕獲体２０とカバー３０との軸心を通る回転シャフト４２と、回転シャフト４２の周りに１２０°間隔で互いに平行に配された３本のガイドシャフト４４と、３本のガイドシャフト４４の上端又は下端が結合され、回転シャフト４２が回転可能に挿通された上下一対のシャフト保持部４６とを備えている。
【００２２】
シャフト保持部４６は、回転シャフト４２が回転可能に挿通される軸受部４６Ａと、ガイドシャフト４４の上端又は下端が結合される各３個の結合部４６Ｂと、これらを結合する結合部４６Ｃとを備えている。下側の結合部４６Ｃには下方に突出する軸である脚部４７が一体化され、上側の結合部４６Ｃには上方に突出する軸であり、駆動機構５０を支持する支持部４８が一体化されている。
【００２３】
複数段の塩分捕獲体２０と複数段のカバー３０とは、３本のガイドシャフト４４と回転シャフト４２とに沿って昇降可能にホルダ４０に保持されており、塩分捕獲体２０をその上のカバー３０を停止させた状態で降下させると、当該塩分捕獲体２０が曝露状態になる。また、曝露状態の塩分捕獲体２０の上のカバー３０を下降させると、当該塩分捕獲体２０がカバー３０に覆われた状態になる。
【００２４】
図２及び図３に示すように、回転シャフト４２には上下一対のピン４３Ｕ、４３Ｌが設けられている。この上下一対のピン４３Ｕ、４３Ｌは回転シャフト４２から外径方向に突出している。下側のピン４３Ｌの高さ位置は、全ての塩分捕獲体２０とカバー３０とが最下位で積み重ねられた状態で、最上段のカバー３０の上部３０Ａよりも上になるように設定されている。また、上下のピン４３Ｕ、４３Ｌの高さ位置の差は、塩分捕獲体２０の高さと同程度に設定されている。また、上下のピン４３Ｕ、４３Ｌの回転シャフト４２周りの位置は、ピン４３Ｕがピン４３Ｌに対して反時計周り方向に１２０°ずれるように設定されている。
【００２５】
また、図１に示すように、カバー３０の上部３０Ａには、孔３０Ｈから外径方向へ延びる長孔３１が形成されている。この長孔３１とピン４３Ｕ、４３Ｌとの回転シャフト４２周りの位置が一致した場合、ピン４３Ｕ、４３Ｌは、長孔３１を通過可能となる。それに対して、長孔３１とピン４３Ｕ、４３Ｌとの回転シャフト４２周りの位置がずれている場合、カバー３０の上部３０Ａがピン４３Ｕ、４３Ｌの上にが乗った状態となり、カバー３０がピン４３Ｕ、４３Ｌにより保持される。
【００２６】
また、ガーゼホルダ２４の上部２４Ａには、軸心の孔から外径方向へ延びる長孔２５が形成されている（図５〜図１０参照）。この長孔２５とピン４３Ｕ、４３Ｌとの回転シャフト４２周りの位置が一致した場合、ピン４３Ｕ、４３Ｌは、長孔２５を通過可能となる。それに対して、長孔２５とピン４３Ｕ、４３Ｌとの回転シャフト４２周りの位置がずれている場合、ガーゼホルダ２４の上部２４Ａがピン４３Ｕ、４３Ｌの上にが乗った状態となり、塩分捕獲体２０がピン４３Ｕ、４３Ｌにより保持される。
【００２７】
図２及び図３に示すように、駆動機構５０は、ケース５１、ケース５１に収納された回転部５２やロックレバー５３等を備えている。ケース５１は、上側のシャフト保持部４６に固定されている。
【００２８】
図４は、駆動機構５０の内部を示す斜視図であり、図５は、駆動機構５０の内部を示す平面図である。これらの図に示すように、駆動機構５０が備える回転部５２は、軸心に回転シャフト４２が固定された円板部５２Ａと、円板部５２Ａの上面に設けられたロック部５２Ｂと、円板部５２Ａの外周部に所定間隔（例えば、図示するように６０°間隔）で設けられた複数本（例えば、図示するように６本）のピン５２Ｃとを備えている。円板部５２Ａは、回転シャフト４２と共に軸心周りに回転する。
【００２９】
ロック部５２Ｂは、円板部５２Ａの上面の中央部に上方に突出するように形成されている。このロック部５２Ｂの平面形状は、点対称な正多角形（例えば、正六角形）の隣り合った頂点の間に三角形状の凹部５２Ｄを形成した形状である。この凹部５２Ｄは、円板部５２Ａの軸心の周りに所定間隔（例えば、図示するように６０°間隔）で、ロック部５２Ｂの外周部に形成されている。また、各凹部５２Ｄの隅部５２Ｆは、頂点５２Ｅと軸心とを通る直線上に位置し、該隅部５２Ｆの角度は鈍角である。
【００３０】
ロックレバー５３は、ケース５１の上板から鉛直下方に延びるピン５３Ａに回動可能に取り付けられている。このピン５３Ａは、ロック部５２Ｂの回転半径よりも外側に配されている。ロックレバー５３の平面形状は、Ｖ字形状であり、ロックレバー５３は、凹部５２Ｄに係合できるように構成されている。また、ピン５３Ａは、捩りコイルバネ５４のコイル部に挿通されている。この捩りコイルバネ５４の一端はロックレバー５３に係止され、他端はケース５１の上板に係止されており、捩りコイルバネ５４は、ロックレバー５３をその先端がロック部５２Ｂの軸心に近づく方向（図中反時計周り方向）に付勢している。
【００３１】
駆動機構５０は、モーター５５を備えている。このモーター５５は、サーボモーターであり、その出力軸５５Ａは鉛直であり、該出力軸５５Ａには、水平方向に延びるアーム５５Ｂが設けられている。モーター５５は、図中時計周り方向に回転してアーム５５Ｂでピン５２Ｃを押すことにより、回転部５２を図中反時計周り方向へ回転させる。
【００３２】
ここで、モーター５５は、初期位置から図中時計周り方向に６０°回転し、逆回転して初期位置に復帰することを繰り返すことにより、回転部５２を６０°ずつ図中反時計周り方向へ回転させる。モーター５５の回転位置が初期位置の状態で、アーム５５Ｂがピン５２Ｃに当接すると共に、ロックレバー５３が捩りコイルバネ５４の付勢力で凹部５２Ｄに係合する。そして、図５に示すように、モーター５５が図中時計周り方向に回転して、アーム５５Ｂがピン５２Ｃを押すと、ロック部５２Ｂがロックレバー５３を捩りコイルバネ５４の付勢力に抗して図中時計周り方向に回動させることにより、ロックレバー５３とロック部５２Ｂとのロック状態が解除される。
【００３３】
図６は、回転シャフト４２のピン４３Ｕ、４３Ｌ、ガーゼホルダ２４の長孔２５、及び、カバー３０の長孔３１の位置関係を説明するための図である。この図では、図１及び図２に示す、最下段のガーゼホルダ２４が下側のピン４３Ｌで保持され、その上段のカバー３０が上側のピン４３Ｕで保持された状態での、ピン４３Ｕ、４３Ｌ、及び、長孔２５、３１の位置関係を示している。なお、最上段のガーゼホルダ２４及びカバー３０については説明を省略しているが、これらの下の段と同じ規則性をもって配されている。また、３個のガーゼホルダの符号を、下から２４−１、２４−２、２４−３とし、３個のカバーの符号を、下から３０−１、３０−２、３０−３として、以下説明する。
【００３４】
この図に示すように、ピン４３Ｕは、ピン４３Ｌに対して、反時計周り方向に１２０°ずれた位置に配されている。また、ガーゼホルダ２４−１の長孔２５は、ピン４３Ｌに対して、反時計周り方向に１２０°ずれた位置に配されている。
【００３５】
ここで、長孔２５と長孔３１とが下から上に交互に配されているが、これらは、下から上にかけて時計周り方向に１２０°ずつずれるように配されている。つまり、カバー３０−１の長孔３１は、ガーゼホルダ２４−１の長孔２５に対して、時計周り方向に１２０°ずれた位置に配され、ガーゼホルダ２４−２の長孔２５は、カバー３０−１の長孔３１に対して、時計周り方向に１２０°ずれた位置に配されている。また、カバー３０−２の長孔３１は、ガーゼホルダ２４−２の長孔２５に対して、時計周り方向にずれた位置に配され、ガーゼホルダ２４−３の長孔２５は、カバー３０−２の長孔３１に対して、時計周り方向に１２０°ずれた位置に配されている。さらに、カバー３０−３の長孔３１は、ガーゼホルダ２４−３の長孔２５に対して、時計周り方向にずれた位置に配されている。
【００３６】
以上のような構成の飛散塩分捕獲装置１０を、最下段の塩分捕獲体２０を曝露させた状態、つまり、ピン４３Ｌでガーゼホルダ２４−１を保持し、ピン４３Ｕでカバー３０−１を保持した状態で観測地に設置する（図１及び図２参照）。そして、露出した最下段の塩分捕獲体２０で所定期間（例えば、１ヶ月間）飛散塩分を捕獲する。ここで、モーター５５のタイマーを当該所定期間に設定しておき、モーター５５を当該所定期間後に駆動させる。この際、モーター５５を、初期位置から図４中の時計周り方向に６０°回転させ、逆回転させて初期位置に復帰させることを２度行うことにより、回転シャフト４２を反時計周り方向に１２０°回転させる。
【００３７】
図７（Ａ）は、図６に示す状態からピン４３Ｕ、４３Ｌを反時計周り方向に１２０°回転させた状態でのピン４３Ｕ、４３Ｌ、ガーゼホルダ２４−１〜２４−３の長孔２５、及び、カバー３０−１〜３０−３の長孔３１の位置関係を説明するための図である。この図に示すように、当該状態では、ピン４３Ｌとガーゼホルダ２４−１の長孔２５とが上下に重なり合う。これにより、ガーゼホルダ２４−１が、ピン４３Ｌにより保持されなくなって降下する。
【００３８】
図７（Ｂ）は、図７（Ａ）に示す状態からピン４３Ｕ、４３Ｌを反時計周り方向に１２０°回転させた状態でのピン４３Ｕ、４３Ｌ、ガーゼホルダ２４−１〜２４−３の長孔２５、及び、カバー３０−１〜３０−３の長孔３１の位置関係を説明するための図である。この図に示すように、当該状態では、ピン４３Ｕとカバー３０−１の長孔３１とが上下に重なり合う。これにより、カバー３０−１が、ピン４３Ｕにより保持されなくなって降下し、ピン４３Ｌにより保持される。また、ガーゼホルダ２４−２、２４−３及びカバー３０−２、３０−３は一段降下し、ピン４３Ｕに保持される。
【００３９】
図７（Ｃ）は、図７（Ｂ）に示す状態からピン４３Ｕ、４３Ｌを反時計周り方向に１２０°回転させた状態でのピン４３Ｕ、４３Ｌ、ガーゼホルダ２４−１〜２４−３の長孔２５、及び、カバー３０−１〜３０−３の長孔３１の位置関係を説明するための図である。この図に示すように、当該状態では、ピン４３Ｌとカバー３０−１の長孔３１とが上下に重なり合う。これにより、カバー３０−１が、ピン４３Ｌにより保持されなくなって降下し、ガーゼホルダ２４−１のガーゼ２２を覆う。また、ガーゼホルダ２４−２、２４−３及びカバー３０−２、３０−３はピン４３Ｕに保持された状態のままである。
【００４０】
図８（Ａ）は、図７（Ｃ）に示す状態からピン４３Ｕ、４３Ｌを反時計周り方向に１２０°回転させた状態でのピン４３Ｕ、４３Ｌ、ガーゼホルダ２４−１〜２４−３の長孔２５、及び、カバー３０−１〜３０−３の長孔３１の位置関係を説明するための図である。この図に示すように、当該状態では、ピン４３Ｕとガーゼホルダ２４−２の長孔２５とが上下に重なり合う。これにより、ガーゼホルダ２４−２が、ピン４３Ｕにより保持されなくなって降下し、ピン４３Ｌにより保持される。また、ガーゼホルダ２４−３及びカバー３０−２、３０−３は一段降下し、ピン４３Ｕに保持される。即ち、図３に示すように、ガーゼホルダ２４−２のガーゼ２２が曝露され、飛散塩分を捕獲したガーゼ２２を保持する最下段のガーゼホルダ２４−１が、カバー３０−１で覆われた状態になる。
【００４１】
図８（Ｂ）は、図８（Ａ）に示す状態からピン４３Ｕ、４３Ｌを反時計周り方向に１２０°回転させた状態でのピン４３Ｕ、４３Ｌ、ガーゼホルダ２４−１〜２４−３の長孔２５、及び、カバー３０−１〜３０−３の長孔３１の位置関係を説明するための図である。この図に示すように、当該状態では、ピン４３Ｌとガーゼホルダ２４−２の長孔２５とが上下に重なり合う。これにより、ガーゼホルダ２４−２が、ピン４３Ｌにより保持されなくなって降下し、カバー３０−１に被さる。また、ガーゼホルダ２４−３及びカバー３０−２、３０−３はピン４３Ｕに保持された状態のままである。
【００４２】
図８（Ｃ）は、図８（Ｂ）に示す状態からピン４３Ｕ、４３Ｌを反時計周り方向に１２０°回転させた状態でのピン４３Ｕ、４３Ｌ、ガーゼホルダ２４−１〜２４−３の長孔２５、及び、カバー３０−１〜３０−３の長孔３１の位置関係を説明するための図である。この図に示すように、当該状態では、ピン４３Ｕとカバー３０−２の長孔３１とが上下に重なり合う。これにより、カバー３０−２が、ピン４３Ｕにより保持されなくなって降下し、ピン４３Ｌにより保持される。また、ガーゼホルダ２４−３及びカバー３０−３は一段降下し、ピン４３Ｕに保持される。
【００４３】
図９（Ａ）は、図８（Ｃ）に示す状態からピン４３Ｕ、４３Ｌを反時計周り方向に１２０°回転させた状態でのピン４３Ｕ、４３Ｌ、ガーゼホルダ２４−１〜２４−３の長孔２５、及び、カバー３０−１〜３０−３の長孔３１の位置関係を説明するための図である。この図に示すように、当該状態では、ピン４３Ｌとカバー３０−２の長孔３１とが上下に重なり合う。これにより、カバー３０−２が、ピン４３Ｌにより保持されなくなって降下し、ガーゼホルダ２４−２に被さる。また、ガーゼホルダ２４−３及びカバー３０−３はピン４３Ｕに保持された状態のままである。  
【００４４】
図９（Ｂ）は、図９（Ａ）に示す状態からピン４３Ｕ、４３Ｌを反時計周り方向に１２０°回転させた状態でのピン４３Ｕ、４３Ｌ、ガーゼホルダ２４−１〜２４−３の長孔２５、及び、カバー３０−１〜３０−３の長孔３１の位置関係を説明するための図である。この図に示すように、当該状態では、ピン４３Ｕとガーゼホルダ２４−３の長孔２５とが上下に重なり合う。これにより、ガーゼホルダ２４−３が、ピン４３Ｕにより保持されなくなって降下し、ピン４３Ｌにより保持される。また、カバー３０−３は一段降下し、ピン４３Ｕに保持される。つまり、ガーゼホルダ２４−３のガーゼ２２が曝露され、飛散塩分を捕獲したガーゼ２２を保持するガーゼホルダ２４−１、２４−２が、夫々、カバー３０−１、３０−２で覆われた状態になる。
【００４５】
図１０（Ａ）は、図９（Ｂ）に示す状態からピン４３Ｕ、４３Ｌを反時計周り方向に１２０°回転させた状態でのピン４３Ｕ、４３Ｌ、ガーゼホルダ２４−１〜２４−３の長孔２５、及び、カバー３０−１〜３０−３の長孔３１の位置関係を説明するための図である。この図に示すように、当該状態では、ピン４３Ｌとガーゼホルダ２４−３の長孔２５とが上下に重なり合う。これにより、ガーゼホルダ２４−３が、ピン４３Ｌにより保持されなくなって降下し、カバー３０−２に被さる。また、カバー３０−３はピン４３Ｕに保持された状態のままである。
【００４６】
図１０（Ｂ）は、図１０（Ａ）に示す状態からピン４３Ｕ、４３Ｌを反時計周り方向に１２０°回転させた状態でのピン４３Ｕ、４３Ｌ、ガーゼホルダ２４−１〜２４−３の長孔２５、及び、カバー３０−１〜３０−３の長孔３１の位置関係を説明するための図である。この図に示すように、当該状態では、ピン４３Ｕとカバー３０−３の長孔３１とが上下に重なり合う。これにより、カバー３０−３が、ピン４３Ｕにより保持されなくなって降下し、ピン４３Ｌにより保持される。
【００４７】
図１１は、図１０（Ｂ）に示す状態からピン４３Ｕ、４３Ｌを反時計周り方向に１２０°回転させた状態でのピン４３Ｕ、４３Ｌ、ガーゼホルダ２４−１〜２４−３の長孔２５、及び、カバー３０−１〜３０−３の長孔３１の位置関係を説明するための図である。この図に示すように、当該状態では、ピン４３Ｌとカバー３０−３の長孔３１とが上下に重なり合う。これにより、カバー３０−３が、ピン４３Ｌにより保持されなくなって降下し、ガーゼホルダ２４−３に被さる。
【００４８】
以上説明したように、本実施形態に係る飛散塩分捕獲装置１０は、大気中に飛散している塩分を捕獲可能であるガーゼ２２と、ガーゼ２２を保持するガーゼホルダ２４とを有する複数段の塩分捕獲体２０と、複数段の塩分捕獲体２０と交互に配され、各段の塩分捕獲体２０のガーゼ２２を収納可能である複数段のカバー３０と、複数段の塩分捕獲体２０と複数段のカバー３０とを昇降可能に保持するホルダ４０とを備える。ここで、ホルダ４０は、複数段の塩分捕獲体２０のうちの何れか一の段の塩分捕獲体２０を、第一の高さ位置で停止させ、当該塩分捕獲体２０より一段上のカバー３０を、当該塩分捕獲体２０のガーゼ２２が露出する第二の高さ位置で停止させることができるように、複数段の塩分捕獲体２０と複数段のカバー３０とを昇降可能に保持する。
【００４９】
これにより、使用前の複数段の塩分捕獲体２０を、夫々カバー３０で覆い、その複数段の塩分捕獲体２０を下から順に第一の高さ位置（即ち、曝露位置）に降下させ、その後、飛散塩分を捕獲した塩分捕獲体２０を第一の高さ位置から降下させると共にその上のカバー３０を降下させて、使用後の塩分捕獲体２０をカバー３０で覆うことができる。従って、百葉箱１内に１個の塩分捕獲体２０を設置する場合に比して、複数倍（本実施形態では４倍）の期間連続して飛散塩分量を観測することができ、塩分捕獲体２０の交換頻度を半減させることができる。また、複数の塩分捕獲体２０の曝露位置が第一の高さ位置で一定であることにより、複数の塩分捕獲体２０の観測条件を一定にすることができる。
【００５０】
また、本実施形態に係る飛散塩分捕獲装置１０では、塩分捕獲体２０を側面にガラリが設けられた百葉箱１内に設置したことにより、カバー３０で覆われていない露出した塩分捕獲体２０に、屋根の有無に関係なく雨の影響を受けることがないように、風速に応じた量の塩分を付着させることができる。
【００５１】
また、本実施形態に係る飛散塩分捕獲装置１０では、ホルダ４０は、複数段の塩分捕獲体２０のガーゼホルダ２４の外周部と、複数段のカバー３０の外周部とを貫通し、複数段のガーゼホルダ２４と複数段のカバー３０との昇降を案内する複数のガイドシャフト４４と、複数段のガーゼホルダ２４の内周部と、複数段のカバー３０の内周部とを貫通する回転シャフト４２とを備える。また、回転シャフト４２には、上下のピン４３Ｕ、４３Ｌが設けられており、下側のピン４３Ｌは、回転シャフト４２の回転位置に応じて、第一の高さ位置でガーゼホルダ２４に対して保持状態と非保持状態とをとり、上側のピン４３Ｕは、回転シャフト４２の回転位置に応じて、第二の高さ位置でガーゼホルダ２４に対して保持状態と非保持状態とをとる。これにより、回転シャフト４２の回転位置に応じて、ガーゼホルダ２４を第一の高さ位置で保持したり、第一の高さ位置から降下させたり、カバー３０を第二の高さ位置で保持したり、第二の高さ位置から降下させたりすることができる。
【００５２】
また、上下のピン４３Ｕ、４３Ｌが回転シャフト４２の周方向に所定角度ずれて配され、ガーゼホルダ２４とカバー３０とには夫々、ピン４３Ｕ、４３Ｌが通過可能である長孔２５、３１が形成されている。ここで、下から上に交互に並んだガーゼホルダ２４の長孔２５とカバー３０の長孔３１とが、回転シャフト４２の周方向に所定角度ずつずれて配されている。これにより、回転シャフト４２を一方向に回転させて下から順に、長孔２５、３１とピン４３Ｕ、４３Ｌとの回転シャフト４２周りの位置を一致させて、複数段の塩分捕獲体２０と複数段のカバー３０とを下から順に降下させていくことができる。
【００５３】
また、本実施形態に係る飛散塩分捕獲装置１０は、回転シャフト４２を回転させる駆動機構５０を備える。ここで、該駆動機構５０は、所定期間経過後に駆動されるタイマー機能を備える。これにより、塩分捕獲体２０とカバー３０とを自動で下から順に降下させていくことができる。
【００５４】
また、駆動機構５０は、所定期間経過後に、回転シャフト４２を、下側のピン４３Ｌが保持するガーゼホルダ２４の長孔２５と下側のピン４３Ｌとが重なる位置まで回転させてから、上側のピン４３Ｕが保持するカバー３０の長孔３１と上側のピン４３Ｕとが重なる位置まで回転させ、さらに、当該カバー３０の長孔３１と上側のピン４３Ｕとが重なる位置まで回転させる。これにより、複数段の塩分捕獲体２０のうちの何れか一を、所定期間曝露位置で停止させ、その後、当該塩分捕獲体２０とその上のカバー３０とを降下させて、当該塩分捕獲体２０をカバー３０で覆うことができる。
【００５５】
以上、本発明を実施するための形態について説明したが、上記実施形態は本発明の理解を容易にするためのものであり、本発明を限定して解釈するためのものではない。本発明はその趣旨を逸脱することなく変更、改良され得るとともに、本発明にはその等価物も含まれる。
【００５６】
例えば、上記実施形態では、タイマー機能を有するモーター５５を所定期間経過後に自動的に作動させて回転シャフト４２を回転させることにより塩分捕獲体２０とカバー３０とを降下させたが、回転シャフト４２の回転は手動で行ってもよい。
【００５７】
また、塩分捕獲体２０とカバー３０とを第一及び第二の位置で保持したり当該位置から降下させたりする機構として、上下のピン４３Ｕ、４３Ｌが設けられた回転シャフト４２と、ピン４３Ｕ、４３Ｌが通過可能な長孔２５、３１が形成されたガーゼホルダ２４、カバー３０とを備える機構としたが、他の機構にしてもよい。例えば、回転シャフト４２を回転させるのではなく、ピン４３Ｕ、４３Ｌを回転させたり伸縮させたりすることにより、ピン４３Ｕ、４３Ｌが長孔２５、３１に対して通過可能な状態になったり通過不能な状態になったりするような機構も採用できる。
【００５８】
また、上記実施形態では、塩分捕獲体２０とカバー３０とをそれぞれ４段としたが、これらの設置数は適宜変更可能である。さらに、上記実施形態では、モーター５５を６０°ずつ回転させたり、ピン４３Ｕ、４３Ｌや長孔２５、３１の回転軸周りの位相を１２０°ずらしたりしたが、これらの角度は適宜変更可能である。
【符号の説明】
【００５９】
１  百葉箱、１０  飛散塩分捕獲装置、２０  塩分捕獲体、２２  ガーゼ、２４  ガーゼホルダ、２４Ａ  上部、２４Ｂ  底部、２４Ｃ  中間部、２４Ｄ  中間部、２４Ｅ  棒材、２４Ｇ  ガイド部、２５  長孔、３０  カバー、３０Ａ  上部、３０Ｂ  底部、３０Ｈ  孔、３０Ｇ  ガイド部、３１  長孔、３２  シール材、４０  ホルダ、４２  回転シャフト、４３Ｕ  ピン、４３Ｌ  ピン、４４  ガイドシャフト、４６  シャフト保持部、４６Ａ  軸受部、４６Ｂ  結合部、４６Ｃ  結合部、４７  脚部、４８  支持部、５０  駆動機構、５１  ケース、５２  回転部、５２Ａ  円板部、５２Ｂ  ロック部、５２Ｃ  ピン、５２Ｄ  凹部、５２Ｅ  頂点、５２Ｆ  隅部、５３  ロックレバー、５３Ａ  ピン、５４  捩りコイルバネ、５５  モーター、５５Ａ  出力軸、５５Ｂ  アーム
【図１】
0005763850.tif 000002
【図２】
0005763850.tif 000003
【図３】
0005763850.tif 000004
【図４】
0005763850.tif 000005
【図５】
0005763850.tif 000006
【図６】
0005763850.tif 000007
【図７】
0005763850.tif 000008
【図８】
0005763850.tif 000009
【図９】
0005763850.tif 000010
【図１０】
0005763850.tif 000011
【図１１】
0005763850.tif 000012